(57)【要約】【課題】最大消費電力を抑え、省電力化を実現することが可能な閲覧端末及び閲覧端末制御プログラムを提供する。【解決手段】閲覧端末は、省電力モード時に表示内容の書き換え入力操作がなされた場合（Ｓ１１：ＹＥＳ）、表示制御部及び不揮発性表示部の電源をＯＮし（Ｓ１５）、表示内容を書き換える制御を実行し（Ｓ１７）、表示制御部及び不揮発性表示部の電源をＯＦＦする（Ｓ１９）。次いで、表示中のデータの次ページのデータを未だ取得しておらず、あらかじめ外部端末より取得しておく必要があるかどうかを判断する（Ｓ２１）。取得しておく必要があると判断した場合（Ｓ２５：ＹＥＳ）、通信部の電源をＯＮして外部端末と通信を行い、次ページのデータを取得する（Ｓ３３）。一方、通信中に書換入力操作がなされた場合には（Ｓ３５：ＹＥＳ）、通信を中断して即座に表示内容を書き換える処理を実行する。【選択図】図７
2009230697.tif 000002
【特許請求の範囲】
【請求項１】
データを閲覧可能な閲覧端末であって、
データを表示し、電力の供給が断たれても表示内容を保持する不揮発性表示部と、
前記不揮発性表示部の表示の書き換えを行う表示制御部と、
外部端末と通信を行う通信部と、
前記不揮発性表示部、前記表示制御部、及び前記通信部に電力を供給する電源供給部と、
前記表示制御部及び前記通信部に対する処理の指示、並びに、前記不揮発性表示部、前記表示制御部、及び前記通信部のそれぞれに対して前記電源供給部からの電力が供給された状態である供給状態と前記電源供給部からの電力が供給されない状態である非供給状態との切替を行うメイン制御部とを備え、
前記メイン制御部は、
前記表示制御部に対して表示するデータの書き換えの指示を行う場合、前記不揮発性表示部と前記表示制御部とを供給状態とし前記通信部を非供給状態とした後、前記表示制御部に対して書き換えの指示を行い、
前記通信部に対して通信の指示を行う場合、前記不揮発性表示部と前記表示制御部とを非供給状態とし前記通信部を供給状態とした後、前記通信部に対して通信の指示を行うことを特徴とする閲覧端末。
【請求項２】
表示の書き換え指示の入力を行う書換指示入力部を備え、
前記メイン制御部は、
前記表示制御部、及び前記通信部に対して指示を行うことが可能な動作モードである通常モードと、通常モードよりも消費電力の少ない動作モードであって、前記書換指示入力部への入力操作を検出可能な動作モードである省電力モードとで駆動可能であり、
前記省電力モードにおいて書換指示入力部に書換の指示が入力された場合に、前記省電力モードから前記通常モードに復帰する復帰手段と、
前記通常モードに復帰後、前記不揮発性表示部及び前記表示制御部を供給状態とし、前記通信部を非供給状態とし、前記表示制御部に対して書き換えの指示を行う第１書換手段と、
前記第１書換手段において書き換えの指示が行われ、前記不揮発性表示部の表示が書き換えられた直後または書き換えられている間に、前記外部端末との通信の要否を判断する通信要否判断手段と、
前記通信要否判断手段において通信が必要と判断した場合、前記不揮発性表示部及び前記表示制御部を非供給状態とし、前記通信部を供給状態とし、前記通信部に対して通信の指示を行う通信手段と、
前記通信要否判断手段において通信が不要と判断した場合及び前記通信手段において通信の指示が行われ通信が終了した場合、書換指示入力部に書き換え指示が入力されているか否かに基づいて書換の要否を判断する書換要否判断手段と、
前記書換要否判断手段において書換が必要と判断した場合、前記通信部を非供給状態とし、前記不揮発性表示部及び前記表示制御部を供給状態とし、前記表示制御部に対して書き換えの指示を行う第２書換手段と、
前記書換要否判断手段において書換が不要と判断した場合、前記不揮発性表示部、前記表示制御部及び前記通信部を非供給状態にし、省電力モードに移行する移行手段として機能することを特徴とする請求項１に記載の閲覧端末。
【請求項３】
前記メイン制御部は、前記通信部により前記外部端末と通信中に、前記書換指示入力部より書き換え指示が入力された場合に、前記通信部に対して通信を中断する指示を行う通信中断制御手段として機能し、
前記第２書換手段は、
前記通信中断制御手段により通信を中断する指示を行い通信が中断した場合、前記通信部を非供給状態とし、前記不揮発性表示部及び前記表示制御部を供給状態とし、前記表示制御部に対して書き換えの指示を行うことを特徴とする請求項２に記載の閲覧端末。
【請求項４】
前記通信中断制御手段は、
前記通信部において前記外部端末と通信を行い所定のデータを取得している最中に、前記書換指示入力部より書き換え指示が入力された場合には、通信を中断させないことを特徴とする請求項３に記載の閲覧端末。
【請求項５】
データを記憶するデータ記憶部を備え、
前記通信要否判断手段は、
前記不揮発性表示部に表示されたデータに関連する他のデータが前記データ記憶部に記憶されていないと判断された場合に、前記外部端末と通信を行い当該データを取得する必要があると判断することを特徴とする請求項２乃至４のいずれかに記載の閲覧端末。
【請求項６】
前記不揮発性表示部に表示されたデータに関連する他のデータの取得の許否を記憶するデータ取得許否記憶部を備え、
前記通信要否判断手段は、
前記不揮発性表示部に表示されたデータに関連する他のデータが前記データ記憶部に記憶されていないと判断された場合であって、前記データ取得許否記憶部に当該データの取得の許可が記憶されている場合に、前記外部端末と通信を行い当該データを取得する必要があると判断することを特徴とする請求項２乃至５のいずれかに記載の閲覧端末。
【請求項７】
前記メイン制御部は、
所定周期で所定のデータを取得する必要があると判断する周期データ判断手段として機能し、
前記通信要否判断手段は、
前記周期データ判断手段において所定のデータを取得する必要があると判断された場合に、前記外部端末と通信を行い当該データを取得する必要があると判断することを特徴とする請求項２乃至６のいずれかに記載の閲覧端末。
【請求項８】
所定のタイミングで前記書換指示入力部より書換指示が入力されたことを履歴情報として記憶する履歴記憶部と、
前記履歴記憶部に記憶された履歴情報に基づき、前記書換指示入力部より書換指示が頻繁に入力されているか否かを判定する入力判定手段とを備え、
前記外部端末との通信により所定量までのデータを受信する場合において、前記通信手段は、前記入力判定手段により頻繁に入力されていると判定された場合には、前記所定量以下のデータしか受信しないように前記通信部に対して通信の指示を行うことを特徴とする請求項２乃至７のいずれかに記載の閲覧端末。
【請求項９】
所定のタイミングで前記書換指示入力部より書換指示が入力されたことを履歴情報として記憶する履歴記憶部と、
前記履歴記憶部に記憶された履歴情報に基づき、前記書換指示入力部より書換指示が頻繁に入力されているか否かを判定する入力判定手段とを備え、
前記通信要否判断手段は、
前記入力判定手段により頻繁に入力されていると判定された場合には、前記周期データ判断手段において所定周期で所定のデータを取得する必要があると判断した場合であっても、通信を行い当該データを取得する必要がないと判断することを特徴とする請求項７に記載の閲覧端末。
【請求項１０】
請求項１乃至９のいずれかに記載の閲覧端末のメイン制御部の各種処理手段としてコンピュータを機能させるための閲覧端末制御プログラム。
【発明の詳細な説明】
【技術分野】
【０００１】
本発明は、閲覧端末及び閲覧端末制御プログラムに関する。
【背景技術】
【０００２】
昨今、電子機器の省電力化を実現するためのさまざまな試みがなされている。消費電力を低減させるための方法としては、キー操作やタイマーにより、表示機能や通信機能を一時的に停止させる省電力モードに移行させる方法が一般的に知られている（特許文献１参照）。
【０００３】
一方、不揮発性表示部を備え、一旦表示を書き換えると電源をＯＦＦにしても表示状態を維持できる機能を有する閲覧端末が知られている。このような不揮発性表示部を備えた閲覧端末は、表示内容を書き換える場合以外は、不揮発性表示部と不揮発性表示部の表示の書き換えを行う表示制御部に電力を供給する必要がない。このため、書き換え時以外は不揮発性表示部及び表示制御部への電力の供給を停止して、省電力化を図ることが可能である。
【特許文献１】特開２００１−１１１７３６号公報
【発明の開示】
【発明が解決しようとする課題】
【０００４】
しかしながら、不揮発性表示部を備えた閲覧端末に通信部を設けて通信機能を持たせた場合、表示制御と通信制御の両方が同時に実行されるようなタイミングがあり、最大消費電力が増大してしまう。このことは、閲覧端末の内蔵する電源回路の電源ＯＮ時の突入電流値の増加や、電源回路自体の駆動に必要となる消費電流(スタンバイ時の漏れ電流など)が大きくなることで消費電流の増加につながり、省電力化の阻害要因となってしまうため問題である。
【０００５】
本発明は上記問題を解決するためになされたものであり、最大消費電力を抑え、省電力化を実現することが可能な閲覧端末及び閲覧端末制御プログラムを提供することを目的とする。
【課題を解決するための手段】
【０００６】
上記課題を解決するために、請求項１に係る発明の閲覧端末は、データを閲覧可能な閲覧端末であって、データを表示し、電力の供給が断たれても表示内容を保持する不揮発性表示部と、前記不揮発性表示部の表示の書き換えを行う表示制御部と、外部端末と通信を行う通信部と、前記不揮発性表示部、前記表示制御部、及び前記通信部に電力を供給する電源供給部と、前記表示制御部及び前記通信部に対する処理の指示、並びに、前記不揮発性表示部、前記表示制御部、及び前記通信部のそれぞれに対して前記電源供給部からの電力が供給された状態である供給状態と前記電源供給部からの電力が供給されない状態である非供給状態との切替を行うメイン制御部とを備え、前記メイン制御部は、前記表示制御部に対して表示するデータの書き換えの指示を行う場合、前記不揮発性表示部と前記表示制御部とを供給状態とし前記通信部を非供給状態とした後、前記表示制御部に対して書き換えの指示を行い、前記通信部に対して通信の指示を行う場合、前記不揮発性表示部と前記表示制御部とを非供給状態とし前記通信部を供給状態とした後、前記通信部に対して通信の指示を行うことを特徴とする。
【０００７】
また、請求項２に係る発明の閲覧端末は、請求項１に記載の発明の構成に加えて、表示の書き換え指示の入力を行う書換指示入力部を備え、前記メイン制御部は、前記表示制御部、及び前記通信部に対して指示を行うことが可能な動作モードである通常モードと、通常モードよりも消費電力の少ない動作モードであって、前記書換指示入力部への入力操作を検出可能な動作モードである省電力モードとで駆動可能であり、前記省電力モードにおいて書換指示入力部に書換の指示が入力された場合に、前記省電力モードから前記通常モードに復帰する復帰手段と、前記通常モードに復帰後、前記不揮発性表示部及び前記表示制御部を供給状態とし、前記通信部を非供給状態とし、前記表示制御部に対して書き換えの指示を行う第１書換手段と、前記第１書換手段において書き換えの指示が行われ、前記不揮発性表示部の表示が書き換えられた直後または書き換えられている間に、前記外部端末との通信の要否を判断する通信要否判断手段と、前記通信要否判断手段において通信が必要と判断した場合、前記不揮発性表示部及び前記表示制御部を非供給状態とし、前記通信部を供給状態とし、前記通信部に対して通信の指示を行う通信手段と、前記通信要否判断手段において通信が不要と判断した場合及び前記通信手段において通信の指示が行われ通信が終了した場合、書換指示入力部に書き換え指示が入力されているか否かに基づいて書換の要否を判断する書換要否判断手段と、前記書換要否判断手段において書換が必要と判断した場合、前記通信部を非供給状態とし、前記不揮発性表示部及び前記表示制御部を供給状態とし、前記表示制御部に対して書き換えの指示を行う第２書換手段と、前記書換要否判断手段において書換が不要と判断した場合、前記不揮発性表示部、前記表示制御部及び前記通信部を非供給状態にし、省電力モードに移行する移行手段として機能することを特徴とする。
【０００８】
また、請求項３に係る発明の閲覧端末は、請求項２に記載の発明の構成に加えて、前記メイン制御部は、前記通信部により前記外部端末と通信中に、前記書換指示入力部より書き換え指示が入力された場合に、前記通信部に対して通信を中断する指示を行う通信中断制御手段として機能し、前記第２書換手段は、前記通信中断制御手段により通信を中断する指示を行い通信が中断した場合、前記通信部を非供給状態とし、前記不揮発性表示部及び前記表示制御部を供給状態とし、前記表示制御部に対して書き換えの指示を行うことを特徴とする。
【０００９】
また、請求項４に係る発明の閲覧端末は、請求項３に記載の発明の構成に加えて、前記通信中断制御手段は、前記通信部において前記外部端末と通信を行い所定のデータを取得している最中に、前記書換指示入力部より書き換え指示が入力された場合には、通信を中断させないことを特徴とする。
【００１０】
また、請求項５に係る発明の閲覧端末は、請求項２乃至４のいずれかに記載の発明の構成に加えて、データを記憶するデータ記憶部を備え、前記通信要否判断手段は、前記不揮発性表示部に表示されたデータに関連する他のデータが前記データ記憶部に記憶されていないと判断された場合に、前記外部端末と通信を行い当該データを取得する必要があると判断することを特徴とする。
【００１１】
また、請求項６に係る発明の閲覧端末は、請求項２乃至５のいずれかに記載の発明の構成に加えて、前記不揮発性表示部に表示されたデータに関連する他のデータの取得の許否を記憶するデータ取得許否記憶部を備え、前記通信要否判断手段は、前記不揮発性表示部に表示されたデータに関連する他のデータが前記データ記憶部に記憶されていないと判断された場合であって、前記データ取得許否記憶部に当該データの取得の許可が記憶されている場合に、前記外部端末と通信を行い当該データを取得する必要があると判断することを特徴とする。
【００１２】
また、請求項７に係る発明の閲覧端末は、請求項２乃至６のいずれかに記載の発明の構成に加えて、前記メイン制御部は、所定周期で所定のデータを取得する必要があると判断する周期データ判断手段として機能し、前記通信要否判断手段は、前記周期データ判断手段において所定のデータを取得する必要があると判断された場合に、前記外部端末と通信を行い当該データを取得する必要があると判断することを特徴とする。
【００１３】
また、請求項８に係る発明の閲覧端末は、請求項２乃至７のいずれかに記載の発明の構成に加えて、前記書換指示入力部より書換指示が入力されたことを履歴情報として記憶する履歴記憶部と、前記履歴記憶部に記憶された履歴情報に基づき、前記書換指示入力部より書換指示が頻繁に入力されているか否かを判定する入力判定手段を備え、前記外部端末との通信により所定量までのデータを受信する場合において、前記通信手段は、前記入力判定手段により頻繁に入力されていると判定された場合には、前記所定量以下のデータしか受信しないように前記通信部に対して通信の指示を行うことを特徴とする。
【００１４】
また、請求項９に係る発明の閲覧端末は、請求項７に記載の発明の構成に加えて、前記書換指示入力部より書換指示が入力されたことを履歴情報として記憶する履歴記憶部と、前記履歴記憶部に記憶された履歴情報に基づき、前記書換指示入力部より書換指示が頻繁に入力されているか否かを判定する入力判定手段を備え、前記通信要否判断手段は、前記入力判定手段により頻繁に入力されていると判定された場合には、前記周期データ判断手段において所定周期で所定のデータを取得する必要があると判断した場合であっても、通信を行い当該データを取得する必要がないと判断することを特徴とする。
【００１５】
また、請求項１０に係る発明の閲覧端末制御プログラムは、請求項１乃至９のいずれかに記載の閲覧端末のメイン制御部の各種処理手段としてコンピュータを機能させる。
【発明の効果】
【００１６】
請求項１に係る発明の閲覧端末では、不揮発性表示部、表示制御部、及び通信部を備えている。そして、不揮発性表示部に表示されているデータの書き換えを行う場合は通信部へは電力の供給がされず、通信を行う場合は不揮発性表示部と表示制御部とへは電力の供給がされない。このことにより、最大消費電力を抑制できることで、電源供給部（ＤＣＤＣコンバータなど）の電源供給開始時の突入電力を小さく押さえることができる。また、電源回路自体の駆動に必要となる消費電流（スタンバイ時の漏れ電流など）も減らすことができる。
【００１７】
また、請求項２に係る発明の閲覧端末では、請求項１に記載の発明の効果に加えて、閲覧端末のＣＰＵは通信のためだけに通常モードに復帰しないので、省電力モードから通常モードへの復帰、若しくは、通常モードから省電力モードへの移行の頻度を減らすことになり、省電力モードから通常モードへの復帰、及び通常モードから省電力モードへの移行の際の余分な電力消費を削減できる。
【００１８】
また、請求項３に係る発明の閲覧端末では、外部端末との通信中であっても、書換指示入力部からの表示データの書換入力操作に即座に対応して表示内容を書き換えることが可能である。このことによって、請求項２に記載の発明の効果に加えて、表示書換までに要する時間を短縮することが可能となり、ユーザの利便性を向上させることが可能となる。
【００１９】
また、請求項４に係る発明の閲覧端末では、通信によりデータを取得中に書換指示入力部から書換入力操作がなされた場合であっても、所定のデータの受信中の場合には、通信は中断されない。例えば、表示中のデータの次に表示するデータを取得中に書換入力操作がなされた場合には、通信を中断しないで当該データを受信し記憶することが可能となる。このことによって、請求項３に記載の発明の効果に加えて、不揮発性表示部に表示中のデータに対する次の書換入力操作に確実に対応して即座に表示内容を書き換えることが可能となる。
【００２０】
また、請求項５に係る発明の閲覧端末では、表示中のデータに関連する他のデータが記憶装置に記憶されていない場合には、前もって外部端末から当該データを取得しておく。このことによって、例えば、次に表示するデータを予め確実に閲覧端末に取得し、記憶しておくことができる。従って、請求項２乃至４のいずれかに記載の発明の効果に加えて、不揮発性表示部に表示中のデータへの書換指示に即座に対応して表示内容を書き換えることが可能となる。
【００２１】
また、請求項６に係る発明の閲覧端末では、外部端末より取得するデータに取得許否の設定がなされている場合において、取得が許可されている場合にのみ外部端末と通信を行ってデータを取得する。このことによって、請求項２乃至５のいずれかに記載の発明の効果に加えて、閲覧端末による取得が禁止されているデータについては、外部端末よりデータを取得しないように制御することが可能となり、不要なデータをユーザに閲覧させないようにすることが可能となる。
【００２２】
また、請求項７に係る発明の閲覧端末では、周期的に外部端末から取得する必要があるデータがある場合に、不揮発性表示装部に表示させるデータの取得タイミングで当該データを取得することが可能となる。このことによって、請求項２乃至６のいずれかに記載の発明の効果に加えて、周期的な通信制御処理のためだけに、メイン制御部を省電力モードから通常モードに復帰させ、メイン制御部より通信部を駆動させて外部端末と通信を行う必要がなくなるため、電力供給開始時や電力抑制時において消費される不要な電力を抑制して省電力化を図ることが可能となる。
【００２３】
また、請求項８に係る発明の閲覧端末では、書換入力操作が頻繁に入力された場合には、通信に取得するデータ量を小さくして通信時間を短くすることが可能となる。このことによって、請求項２乃至７のいずれかに記載の発明の効果に加えて、書換入力操作に即座に対応して表示内容を切り換えることが可能となる。
【００２４】
また、請求項９に係る発明の閲覧端末では、書換入力操作が頻繁に入力された場合には、所定周期で所定のデータを取得する必要性がないと判断して通信を行わない。このことによって、通信時間を短くすることが可能となるので、請求項７に記載の発明の効果に加えて、書換入力操作に即座に対応して表示内容を書き換えることが可能となる。
【００２５】
また、請求項１０に係る発明の閲覧端末制御プログラムでは、請求項１乃至９のいずれかに記載の閲覧端末のメイン制御部の各種処理手段としてコンピュータを機能させることが可能となる。
【発明を実施するための最良の形態】
【００２６】
以下、本発明の閲覧端末について、図面を参照して説明する。なお、これらの図面は、本発明が採用しうる技術的特徴を説明するために用いられるものであり、記載されている装置の構成、各種処理のフローチャートなどは、特に特定的な記載がない限り、それのみに限定する趣旨ではなく、単なる説明例である。
【００２７】
以下、本発明の実施の形態について説明する。はじめに、図１を参照し、閲覧端末２を備えた閲覧システムの概要について説明する。図１は、閲覧端末２を備えた閲覧システムを示す模式図である。図１に示すように、閲覧システムは、データを不揮発性表示部１９（図２参照）に表示させることによってユーザに当該データを閲覧させることが可能な閲覧端末２、データを記憶するストレージサーバ１、及び、メールサーバ３から構成されている。
【００２８】
また、閲覧端末２、ストレージサーバ１、及びメールサーバ３は、ネットワーク１０を介して双方向に通信可能な状態となっている。そして閲覧端末２は、ストレージサーバ１と通信を行うことによりデータを取得し、あるいはメールサーバ３と通信を行うことによりメールデータの送受信を実行することが可能となっている。なお、取得したデータやメールデータはメモリカード２１（図２参照）に記憶され、ユーザからの入力操作に基づいて不揮発性表示部１９に表示される。ここで、ネットワーク１０は有線ネットワークであっても構わないし、無線ネットワークであっても構わない。
【００２９】
次に、図２を参照し、閲覧端末２の電気的構成について説明する。図２は、閲覧端末２の電気的構成を示す模式図である。図２に示すように、閲覧端末２は、データやメールデータの表示制御、ストレージサーバ１やメールサーバ３との通信制御等の制御全般を実行するＣＰＵ１１、ＣＰＵ１１が駆動するための制御プログラムやパラメータ等を記憶する不揮発性記憶素子であるＲＯＭ１６、及び、各種設定情報やテンポラリデータを記憶する揮発性記憶素子であるＲＡＭ１５を備えている。そして、ＣＰＵ１１とＲＯＭ１６及びＲＡＭ１５との間でデータの授受のための通信が可能なように、これらはバスを介して電気的に接続されている。
【００３０】
また、閲覧端末２は、ユーザからの各種指示を受け付けるための入力部１２を備えている。そして、ユーザより入力部１２に対してなされた操作をＣＰＵ１１により検出可能なように、入力部１２とＣＰＵ１１とは電気的に接続した状態となっている。入力部１２は、ユーザからの操作をＣＰＵ１１にて検出可能なスイッチ、押しボタン、タッチパネル等のデバイスにより構成されている。また、閲覧端末２は、電源スイッチ１３を備えている。電源スイッチ１３は、そのＯＮ／ＯＦＦ状態をＣＰＵ１１により検出可能なように、ＣＰＵ１１と電気的に接続した状態となっている。また、閲覧端末２は、カウンタ１４を備えている。カウンタ１４は、ＣＰＵ１１と電気的に接続した状態となっており、ＣＰＵ１１に対して一定周期でパルスを出力する。ＣＰＵ１１は、カウンタ１４からのパルスの周期に基づいて、時間監視処理時における時間を判断している。
【００３１】
また、閲覧端末２は、ストレージサーバ１やメールサーバ３とネットワーク１０を介して通信を行うための通信部２０を備えている。通信部２０は、ＣＰＵ１１から転送されるデータを受信してストレージサーバ１やメールサーバ３（図１参照）に送信し、又は、ストレージサーバ１やメールサーバ３より受信したデータをＣＰＵ１１に転送することが可能なように、ＣＰＵ１１と電気的に接続した状態となっている。なお、ネットワーク１０（図１参照）が有線ネットワークである場合には、通信部２０には通信媒体（ＬＡＮケーブル、ＵＳＢ（登録商標）ケーブルなど）を接続させるためのコネクタ（図示外）が接続され、ネットワーク１０が無線ネットワークである場合には、通信部２０にはアンテナ（図示外）が接続される。
【００３２】
また、閲覧端末２には、ストレージサーバ１より受信したデータやメールサーバ３より受信したメールデータを記憶するメモリカード２１を備えている。そして、ＣＰＵ１１とメモリカード２１との間でデータの授受のための通信が可能なように、メモリカード２１とＣＰＵ１１とは電気的に接続した状態となっている。
【００３３】
また、閲覧端末２は、データを表示可能な不揮発性表示部１９と、不揮発性表示部１９を駆動させるための表示制御部１８とを備えている。ＣＰＵ１１と表示制御部１８とは電気的に接続した状態となっている。そして、メモリカード２１に記憶されているデータをＣＰＵ１１からの制御により不揮発性表示部１９に表示させることが可能な状態となっている。
【００３４】
ここで不揮発性表示部１９は、各画素に電圧を印加することによって表示内容を書き換えた後は、各画素は電圧を印加しなくても長期間同じ状態を保持し、同じ画像を表示し続けるという特性を有している。このため、表示内容の書き換え時以外は不揮発性表示部１９及び表示制御部１８への電力供給を停止して、省電力化を図ることが可能な状態となっている。
【００３５】
また、閲覧端末２は電源供給部１７を備えている。電源供給部１７は、閲覧端末２が備える上述した各種デバイスが駆動するために必要な電力を供給する。電源供給部１７は、電池とＤＣＤＣコンバータ、レギュレータなどから構成されている。ＤＣＤＣコンバータやレギュレータは、電池の電圧を駆動する各デバイスの電源電圧などある一定電圧まで安定化させて昇圧、または降圧し、各種デバイスに供給するために設けられている。さらに閲覧端末２は、電源供給部１７から各種デバイスへの電力供給の状態を切り替え可能なスイッチ２５〜２７を備えており、ＣＰＵ１１からスイッチの導通／非導通の状態を制御することが可能なように、各々がＣＰＵ１１と接続された状態となっている。
【００３６】
これらの構成のうち、ＣＰＵ１１は、消費電力の異なる複数の動作モードにて動作可能な状態となっている。ＣＰＵ１１は、閲覧端末２の動作状態に応じて動作モードを切り替えることにより、消費電力を抑制している。具体的には、ＣＰＵ１１は、入力部１２からの入力操作監視、電源スイッチ１３の状態監視、表示制御部１８を制御することによる不揮発性表示部１９の表示制御、及び通信部２０を制御することによる通信制御が少なくとも可能な動作モードである通常モードと、入力部１２からの入力操作監視と電源スイッチ１３の状態監視のみが可能な動作モードである省電力モードと、電源スイッチ１３の状態監視のみが可能な動作モードであるシャットダウンモード（ＣＰＵ１１を除くすべてのデバイスへの電力供給は停止されており、ＣＰＵ１１はメインクロックも停止し、電源スイッチ１３の監視用端子以外は、動作を完全に停止しているモード。ＣＰＵ１１はほとんど電力を消費していない状態となっている。）とを備えている。そして、省電力モードにおけるＣＰＵ１１の消費電力は、通常モードにおけるＣＰＵ１１の消費電力に比べて小さくなるように設定されている。また、シャットダウンモードにおけるＣＰＵ１１の消費電力は、省電力モードにおけるＣＰＵ１１の消費電力に比べて小さくなるように設定されている。
【００３７】
次に、閲覧端末２が備える各種デバイスと電源供給部１７との接続状態について、図３を参照して説明する。図３は、閲覧端末２の各種デバイスと電源供給部１７との接続状態を示す模式図である。図３における実線にて示すように、電源供給部１７はＣＰＵ１１と直接接続された状態となっており、ＣＰＵ１１に対して常時電力が供給された状態となっている。また電源供給部１７は、スイッチ２５、２６、２７のそれぞれの一端部と接続され、それぞれの他端部が表示制御部１８、不揮発性表示部１９、及び通信部２０と接続された状態となっている。また、図３における点線にて示すように、スイッチ２５、２６、及び２７は、ＣＰＵ１１により導通（ＯＮ）／非導通（ＯＦＦ）の切替が制御可能なように、それぞれＣＰＵ１１と接続された状態となっている。
【００３８】
このような構成において、ＣＰＵ１１は、閲覧端末２の動作状態に応じてスイッチ２５〜スイッチ２７のＯＮ／ＯＦＦを切り換える。具体的には、不揮発性表示部１９に表示させるデータを書き換える場合には、スイッチ２５及びスイッチ２６をＯＮとして表示制御部１８及び不揮発性表示部１９に電力が供給されている状態（以下、デバイスに電力が供給されている状態を「供給状態」という。）とする。また、ストレージサーバ１及びメールサーバ３と通信を行う場合には、スイッチ２７をＯＮ状態として通信部２０を供給状態とする。また、それ以外の状態では、スイッチ２５〜スイッチ２７を各々ＯＦＦ状態として表示制御部１８、不揮発性表示部１９、及び通信部２０に電力が供給されていない状態（以下、デバイスに電力が供給されていない状態を「非供給状態」という。）とする。このようにＣＰＵ１１は、閲覧端末２の動作状態に応じて電力供給状態を供給状態／非供給状態に切り替えることにより、閲覧端末２の最大消費電力を抑制している（詳細は後述する）。
【００３９】
次に、ＲＯＭ１６、ＲＡＭ１５、及びメモリカード２１の記憶領域の概要について、図４〜図６を参照して説明する。図４はＲＯＭ１６の記憶領域を示す模式図であり、図５はＲＡＭ１５の記憶領域を示す模式図であり、図６はメモリカード２１の記憶領域を示す模式図である。
【００４０】
はじめに、ＲＯＭ１６の記憶領域について説明する。図４に示すように、ＲＯＭ１６には、ＣＰＵ１１が駆動するために必要な制御プログラムが記憶されている制御プログラム記憶領域３０、制御プログラムがＣＰＵ１１により実行される場合において参照されるパラメータが記憶されているパラメータ情報記憶領域３１、及びその他の記憶領域が設けられている。
【００４１】
次いで、ＲＡＭ１５の記憶領域について説明する。図５に示すように、ＲＡＭ１５には、ユーザにより入力部１２を介して入力操作が実行された場合において、入力情報が自動的に記憶される入力データ記憶領域３６、ＣＰＵ１１が処理を行う場合に必要となる変数（履歴情報変数「Ｍ」「Ｎ」（図７参照）など）やカウンタ、フラグ（通信要否判定フラグ、続きページ判定フラグ、メール受信判定フラグ（図８参照）など）等が記憶される変数・カウンタ・フラグ記憶領域３７、及びその他の記憶領域が設けられている。
【００４２】
次いで、メモリカード２１の記憶領域について説明する。図６に示すように、メモリカード２１には、不揮発性表示部１９に表示させるためにストレージサーバ１より取得したデータが記憶されるデータ記憶領域３８、データ記憶領域３８に記憶されているデータに関連する情報が記憶されるデータ関連情報記憶領域３９、メールサーバ３より取得したメールデータが記憶されるメールデータ記憶領域４０、及びその他の記憶領域が設けられている。これらのうち、データ記憶領域３８には、不揮発性表示部１９に表示させるデータが１ページ毎に異なるデータとして記憶される。また、データ関連情報記憶領域３９には、ストレージサーバ１より取得してデータ記憶領域３８に記憶されたデータに関連する各種情報が記憶されており、例えば、複数のデータにより構成されるファイルの最終ページのデータ（以下「最終ページデータ」という。）を既にストレージサーバ１より取得しており、データ記憶領域３８に記憶された状態であるかどうかを示す最終ページフラグが記憶されている。また、閲覧端末２にて閲覧させることがパスワードなどの入力で規制されているデータのページの情報である受信制約設定情報が記憶されている。
【００４３】
次に、閲覧端末２が備えるＣＰＵ１１が実行する処理の詳細について、図７〜図９を参照して説明する。図７は、ＣＰＵ１１が実行するメイン処理のフローチャートであり、図８は、通信要否判定処理のフローチャートであり、図９は、データ受信処理のフローチャートである。
【００４４】
はじめに、メイン処理のフローチャートについて説明する。ＣＰＵ１１は、閲覧端末２の電源スイッチ１３がＯＦＦとなっている状態においては、シャットダウンモードとなっており、常時電源スイッチ１３の状態のみを監視している。このとき、ＣＰＵ１１を除くすべてのデバイスへの電力供給は停止されている。また、ＣＰＵ１１はメインクロックを停止した状態であり、電源スイッチ１３の監視用端子以外は、動作を完全に停止している。このためＣＰＵ１１は、ほとんど電力を消費していない状態となっている。
【００４５】
そして、この状態にて電源スイッチ１３がＯＮとなったことを検出した場合に、メイン処理を開始し、入力部１２からの入力操作監視と電源スイッチ１３の状態監視のみが可能な動作モードである省電力モードに移行する。またＣＰＵ１１は、スイッチ２５〜２７をＯＦＦとすることにより、表示制御部１８、不揮発性表示部１９、及び通信部２０に対する電源供給部１７からの電力供給状態を非供給状態としている。これらにより、閲覧端末２の消費電力を抑制している。なお不揮発性表示部１９は、シャットダウンモード時、省電力モード時のいずれの場合も、電力供給状態が非供給状態となっていても表示内容を保持することが可能であるので、データが表示された状態となっている。また、ＣＰＵ１１は、ＲＡＭ１５の変数・カウンタ・フラグ記憶領域３７に記憶されている通信要否判定フラグ、続きページ判定フラグ、メール受信判定フラグに「０」を記憶して初期化する。
【００４６】
図７に示すように、ＣＰＵ１１はメイン処理において、はじめに入力部１２からの入力操作監視と電源スイッチ１３の状態監視のみが可能な動作モードである省電力モードに移行する（Ｓ４０）。次に、入力部１２より表示内容の書き換えの入力操作がなされたことを記憶するための履歴情報変数であり、ＲＡＭ１５の変数・カウンタ・フラグ記憶領域３７に記憶されている履歴情報変数である「Ｍ」と「Ｎ」に「０」を記憶し初期化する（Ｓ１０）。
【００４７】
次いでＣＰＵ１１は、この状態においてユーザより入力部１２を介して表示内容を書き換える入力操作がなされるまで待機する（Ｓ１１：ＮＯ）。入力部１２より入力操作がなされた場合、入力情報はＲＡＭ１５の入力データ記憶領域３６に記憶されるので、ＣＰＵ１１は、入力データ記憶領域３６の情報を監視することにより、入力操作の有無を判断する。そして、この領域に入力情報が記憶され、ユーザより入力部１２を介してページを書き換える入力操作がなされたと判断した場合（Ｓ１１：ＹＥＳ）、次いでＣＰＵ１１は、省電力モードから動作モードに動作モードを切り換える（Ｓ１３）。次いで、ストレージサーバ１と通信を行う準備のため、スイッチ２５及びスイッチ２６をＯＮとし、表示制御部１８、及び不揮発性表示部１９の電力供給状態を供給状態とする（Ｓ１５）。
【００４８】
次いでＣＰＵ１１は、不揮発性表示部１９に表示されているデータを次のページのデータ（以下「次ページデータ」という。）に書き換えるために、表示制御部１８を制御する。具体的には、メモリカード２１に記憶されている次ページデータを不揮発性表示部１９に表示させるための指示コマンドを表示制御部１８に対して送信する。これを受けた表示制御部１８は、不揮発性表示部１９を制御して表示中のデータを受信した次ページデータに書き換える（Ｓ１７）。
【００４９】
次いでＣＰＵ１１は、スイッチ２５及びスイッチ２６をＯＦＦとし、表示制御部１８、及び不揮発性表示部１９に対する電力供給状態を非供給状態とする（Ｓ１９）。次いで、通信要否判定処理（Ｓ２１、図８参照）に移行する。通信要否判定処理では、ストレージサーバ１より取得しメモリカード２１のデータ記憶領域３８に記憶されているデータ情報、又は、メモリカード２１のデータ関連情報記憶領域３９に記憶されている、データ記憶領域３８に記憶されたデータに関連する各種情報から、書き換えたデータの次ページデータ、及び次ページデータ以降のページのデータを取得する必要がある状態かどうかが判断される。また、メール受信判定フラグが１か否かにより、メールチェックを行う必要があるかどうかが判断される（詳細は以下にて説明する。）。なお上述においては、通信要否判定処理（Ｓ２１）を、表示中データの書き換え処理（Ｓ１７）が終了し、電力供給状態を非供給状態とした（Ｓ１９）後に実行しているが、この処理順に限定されるものではない。従って、通信要否判定処理（Ｓ２１）を表示中データの書き換え処理（Ｓ１７）の実行中に行う構成としても構わない。
【００５０】
通信要否判定処理について図８を参照して説明する。図８に示すように、ＣＰＵ１１は、はじめに、不揮発性表示部１９に表示中のデータの次ページ以降のデータに対して受信制約設定がされているかどうかを判断する（Ｓ４１）。この受信制約設定は、閲覧端末２にて閲覧するためにパスワードなどの入力が必要とされるデータに対して予め設定されるものである。そして、受信制約設定がなされている場合には、該当ページの番号がメモリカード２１のデータ関連情報記憶領域３９の受信制約設定情報に記憶されている。そこでＣＰＵ１１はこの情報を参照し、表示中のデータの次ページ以降のデータに対して受信制約設定がなされていないと判断した場合（Ｓ４１：ＮＯ）、ストレージサーバ１より該当データを取得してよいものと判断してＳ４５に移行する。一方、表示中のデータの次ページ以降のデータに対して受信制約設定がなされていると判断した場合（Ｓ４１：ＹＥＳ）、次いでＣＰＵ１１は、受信制約設定情報に記憶されているページ番号を不揮発性表示部１９に表示させ、次ページ以降のデータに受信制約設定がなされていることをユーザに対して通知する。そしてユーザからパスワード入力などがなされることにより、受信制約設定を解除でき、次ページ以降のデータの受信を許可できるか否かの選択を促す（Ｓ４３）。ここで、ユーザにより入力部１２を介して受信制約設定の解除操作が行われない場合には（Ｓ４３：ＮＯ）、表示中のデータの次ページ以降のデータをストレージサーバ１より取得できないものと判断してＳ４９に移行する。一方、ユーザにより受信制約設定の解除操作が行われた場合には（Ｓ４３：ＹＥＳ）、Ｓ４５に移行する。
【００５１】
表示中のデータの次ページ以降のデータをストレージサーバ１より受信してよいものと判断した場合（Ｓ４１：ＮＯ、又は、Ｓ４１：ＹＥＳ、Ｓ４３：ＹＥＳ）、次いでＣＰＵ１１は、次ページデータを既にストレージサーバ１より取得した状態であるかを判断する（Ｓ４５）。ストレージサーバ１より取得したデータはメモリカード２１のデータ記憶領域３８に記憶される。そこで、ＣＰＵ１１は、データ記憶領域３８を参照し、次ページデータがデータ記憶領域３８に記憶されておらず、未だ取得していないと判断した場合（Ｓ４５：ＮＯ）、ストレージサーバ１と通信を行い次ページデータを取得する必要があることを示すために、次ページデータの取得の有無を示すフラグである通信要否判定フラグに「１」を記憶する（Ｓ４７）。そしてＳ４９に移行する。一方、次ページデータを既に取得していると判断した場合（Ｓ４５：ＹＥＳ）、新たにストレージサーバ１と通信を行い次ページデータを受信する必要はないので、Ｓ４９に移行する。なお、メモリカード２１のデータ関連情報記憶領域３９に、ストレージサーバ１より取得してデータ記憶領域３８に記憶されたデータの情報を記憶している場合には、この情報を参照し、次ページデータを既にストレージサーバ１より取得した状態となっているか否かを判断してもよい。
【００５２】
次いでＣＰＵ１１は、履歴情報変数である「Ｎ」に記憶されている値を判断する（Ｓ４９）。「Ｎ」は、Ｓ２９（図７参照、後述）において入力部１２より表示データ書き換えの入力操作が既になされていた場合に「１」が記憶される履歴情報変数である。Ｓ４９においてＣＰＵ１１は、「Ｎ」に「１」が記憶されているかどうかを判断する。「Ｎ」に「０」が記憶されている場合には（Ｓ４９：ＮＯ）、Ｓ２９の時点では、未だ表示中のデータを次ページデータに書き換える入力操作がなされていないので、次いでＣＰＵ１１は、表示中のデータを含むファイルの最終ページデータを既にストレージサーバ１より取得しているかを判断する（Ｓ５１）。ストレージサーバ１より最終ページデータを取得していない状態では、データ関連情報記憶領域３９の最終ページフラグに「０」が記憶されており、最終ページデータを取得してメモリカード２１に記憶されると、最終ページフラグに「１」が記憶される。そこでＣＰＵ１１は、データ関連情報記憶領域３９の最終ページフラグを参照し、最終ページデータを未だ取得していないと判断した場合（Ｓ５１：ＮＯ）、最終ページデータを受信しているか否かを示す続きページ判定フラグに「１」を記憶する（Ｓ５３）。そしてＳ５５に移行する。一方、最終ページデータを既に取得済みであると判断した場合（Ｓ５１：ＹＥＳ）、Ｓ５５に移行する。
【００５３】
一方、「Ｎ」に「１」が記憶されていると判断した場合には（Ｓ４９：ＹＥＳ）、Ｓ１１（図７参照）において表示データの書き換え入力操作がなされた後、Ｓ２７（図７参照）の時点において再度書き換え入力操作がなされていたということになる。従ってＣＰＵ１１は、入力部１２を介して非常に短い周期で連続的に表示中のデータを次ページデータに書き換える入力操作がなされているものと判断する。このような場合にＣＰＵ１１は、ストレージサーバ１より取得するデータを次ページデータのみとし、次ページデータ以降のページデータを取得しないようにすることによって、表示中のデータの書き換え制御が通信処理によって遅延してしまうことを防止する。このためＣＰＵ１１は、続きページ判定フラグの操作を行うことなく通信要否判定処理を終了してメイン処理（図７参照）に戻る。
【００５４】
Ｓ５５においては、閲覧端末２が以前自分宛メールの有無の確認通信を行った時からある一定時間以上経過しているか否かに関して判断される。ＣＰＵ１１は、１０分以上経過しているとメールサーバ３と通信を行い自分宛のメールをチェックし、必要に応じてメールを送信するために、前回メール送受信処理（Ｓ８１〜Ｓ８５、図９参照、後述）が実行されてからの経過時間をカウンタにより計測している。そしてこのカウンタの示す時間が１０分以上となった場合（Ｓ５５：ＹＥＳ）、次いでＣＰＵ１１は、履歴情報変数である「Ｍ」に記憶されている値を判断する（Ｓ５７）。「Ｍ」は、Ｓ３７（図７参照、後述）において入力部１２より表示データ書き換えの入力操作が既になされていた場合に「１」が記憶される履歴情報変数である。「Ｍ」に「０」が記憶されている場合には（Ｓ５７：ＮＯ）、Ｓ３７の時点では、未だ表示中のデータを次ページデータに書き換える入力操作がなされていないので、メールサーバ３と通信を行い自分宛のメールをチェックし、必要に応じてメールを送信する必要があることを示すために、メールサーバ３との通信の要否を示すメール受信判定フラグに「１」を記憶する（Ｓ５９）。そして通信要否判定処理を終了し、メイン処理（図７参照）に戻る。
【００５５】
一方、「Ｍ」に「１」が記憶されている場合には（Ｓ５７：ＹＥＳ）、Ｓ１１（図７参照）において表示データの書き換え入力操作がなされた後、Ｓ３５（図７参照）の時点において再度書き換え入力操作がなされていたということになる。従ってＣＰＵ１１は、入力部１２を介して短い周期で連続的に表示中のデータを次ページデータに書き換える入力操作がなされているものと判断する。このようにして、書き換えの入力操作が頻繁に行なわれているか否かを判定し、頻繁に行なわれている場合にＣＰＵ１１は、メールサーバ３とのメールデータの通信を行わないようにすることで、表示中のデータの書き換え制御が通信処理によって遅延してしまうことを防止する。このためＣＰＵ１１は、メール受信判定フラグの操作を行うことなく通信要否判定処理を終了してメイン処理（図７参照）に戻る。
【００５６】
なお、カウンタにより計測される時間が１０分未満の場合は（Ｓ５５：ＮＯ）、メールサーバ３との通信の必要はないので、以降の処理を行うことなく通信要否判断処理を終了してメイン処理（図７参照）に戻る。
【００５７】
通信要否判定処理（Ｓ２１、図８参照）が終了した後のメイン処理では、図７に示すように、ＣＰＵ１１は、通信要否判定処理において判断された履歴情報変数「Ｍ」「Ｎ」に「０」を記憶して初期化する（Ｓ２３）。次いで、通信要否判定処理においてストレージサーバ１及びメールサーバ３と通信を行う必要があることが示されたかどうかを判断する（Ｓ２５）。具体的には、通信要否判定フラグ、続きページ判定フラグ、及びメール受信判定フラグを参照し、いずれのフラグにも「０」が記憶されている場合には、ストレージサーバ１及びメールサーバ３と通信を行う必要がないものと判断して（Ｓ２５：ＮＯ）、Ｓ３５に移行する。
【００５８】
一方ＣＰＵ１１は、通信要否判定フラグ、続きページ判定フラグ、及びメール受信判定フラグを参照し、いずれかのフラグに「１」が記憶されている場合には（Ｓ２５：ＹＥＳ）、通信要否判断処理（Ｓ２１、図８参照）においてデータ及びメールデータを受信するためにストレージサーバ１又はメールサーバ３と通信を行う必要性が示されたものと判断する。次いでＣＰＵ１１は、入力部１２より表示中のデータを書き換える指示がなされたかどうかを判断する（Ｓ２７）。入力部１２を介して入力操作された場合の入力情報は、ＲＡＭ１５の入力データ記憶領域３６に記憶されるので、ＣＰＵ１１は、入力データ記憶領域３６を参照し、ユーザより入力部１２を介してページを書き換える入力操作がなされたどうかを判断する。入力操作がなされていないと判断した場合（Ｓ２７：ＮＯ）、Ｓ３３の処理に移行してストレージサーバ１及びメールサーバ３と通信を行う処理（データ通信処理、Ｓ３３、図９参照）を実行する。一方、ユーザより入力部１２を介してページを書き換える入力操作がなされていると判断した場合（Ｓ２７：ＹＥＳ）、既に表示中のデータを次ページデータに書き換える入力操作がなされているので、即座に表示制御部１８を制御して不揮発性表示部１９に表示中のデータを書き換える処理（Ｓ１７参照）を行う必要がある。そこでＣＰＵ１１は、表示書き換え処理後、ユーザにより短時間の間に入力部１２より再び次ページデータに書き換える入力操作がなされたという履歴を記憶するために履歴情報変数「Ｎ」に「１」を記憶する（Ｓ２９）。
【００５９】
次いでＣＰＵ１１は、書き換えて表示するべき次ページデータを既にストレージサーバ１より取得しており、即座に不揮発性表示部１９に表示中の次のデータを書き換えることが可能な状態であるかどうかを判断する。次ページデータを未だ取得していない場合には、ストレージサーバ１より次ページデータを取得する必要があるので、通信要否判定処理（Ｓ２１、図８参照）において通信要否判定フラグに「１」が記憶されている。そこで、通信要否判定フラグを参照し、通信要否判定フラグに「１」が記憶されている場合には（Ｓ３１：ＹＥＳ）、ストレージサーバ１と通信を行い、次ページデータを取得するデータ受信処理（Ｓ３３、図９参照、後述）を実行する。一方、通信要否判定フラグに「０」が記憶されている場合には（Ｓ３１：ＮＯ）、ＣＰＵ１１は、既に次ページデータを取得しておりメモリカード２１に記憶された状態であると判断して、Ｓ１５に戻る。そして、スイッチ２５及びスイッチ２６をＯＮとして表示制御部１８、及び不揮発性表示部１９に対する電力供給状態を供給状態とし（Ｓ１５）、表示制御部１８を制御して不揮発性表示部１９に表示されているデータを次ページデータに書き換える（Ｓ１７）。
【００６０】
データ及びメールデータを取得するデータ受信処理について、図９を参照して説明する。図９に示すように、データ受信処理では、ＣＰＵ１１は、スイッチ２７をＯＮとし、通信部２０に対する電力供給状態を供給状態とする（Ｓ６１）。次いで、通信要否判定フラグに「１」が記憶されているかどうかを判断する（Ｓ６３）。通信要否判定フラグに「１」が記憶されている場合には（Ｓ６３：ＹＥＳ）、次ページデータを取得していない状態であるので、ストレージサーバ１と通信を行い、次ページデータを取得して、ユーザからの入力操作に即座に対応して表示中のデータを書き換えることが可能な状態としておく必要がある。そこで、ストレージサーバ１との通信を実行し次ページデータを取得する（Ｓ６５）。具体的には、ＣＰＵ１１は、次ページデータ取得通信を実行させる指示コマンドを通信部２０に対して送信する。これを受けた通信部２０は、ストレージサーバ１と通信を行い、次ページデータを取得する。そして取得した次ページデータがメモリカード２１のデータ記憶領域３８に記憶される。一方、通信要否判定フラグに「０」が記憶されている場合には（Ｓ６３：ＮＯ）、次ページデータは既に取得されメモリカード２１のデータ記憶領域３８に記憶されている状態であり、ストレージサーバ１と通信を行う必要はないので、Ｓ６７に移行する。
【００６１】
次いでＣＰＵ１１は、続きページ判定フラグ、及びメール受信判定フラグのいずれかに「１」が記憶されているかどうかを判断する（Ｓ６７）。続きページ判定フラグに「１」が記憶されている場合には、最終ページデータを未だ取得しておらず、取得済みの次ページデータのページに続くデータが存在するので、この後これらのデータに書き換えて表示させる入力操作がユーザによりなされる可能性がある。そのため、ストレージサーバ１よりこれらのデータを取得しておく必要がある。また、メール受信判定フラグに「１」が記憶されている場合には、メールサーバ３と通信を行い自分宛のメールをチェックし、必要に応じてメールを送信する必要があることを示している。そこでＣＰＵ１１は、いずれかのフラグに「１」が記憶されている場合（Ｓ６７：ＹＥＳ）、通信を開始してデータ又はメールデータを受信する処理を実行する（Ｓ６９〜Ｓ８１）。
【００６２】
一方、続きページ判定フラグ、及びメール受信判定フラグのいずれにも「０」が記憶されている場合には（Ｓ６７：ＮＯ）、ストレージサーバ１と通信を行い、データを取得する必要はなく、またメールサーバ３と通信を行いメールデータを取得する必要はないので、Ｓ８７に移行し、スイッチ２７をＯＦＦ状態として通信部２０への電力供給状態を非供給状態に切り換える（Ｓ８７）。そしてデータ受信処理を終了してメイン処理（図７参照）に戻る。
【００６３】
続きページ判定フラグに「１」が記憶されている場合には、ＣＰＵ１１は、最終ページデータを未だ取得しておらず、データ記憶領域３８に記憶されている次ページデータのページに続くデータが存在すると判断する（Ｓ６９：ＮＯ）。この場合、ストレージサーバ１と通信を行い次ページデータ以降のページデータを取得する必要がある。そこで、ストレージサーバ１と通信を実行し、次ページデータ以降のページのデータをページ順に最終ページデータまで取得する処理を開始する（Ｓ７１）。具体的には、ＣＰＵ１１が次ページデータ以降のページデータ取得通信を開始させる指示コマンドを通信部２０に対して送信する。これを受けた通信部２０は、ストレージサーバ１と通信を行い次ページデータ以降のページデータをページ順に最終ページデータまで取得する処理を開始する。一方、続きページ判定フラグに「０」が記憶されている場合には（Ｓ６９：ＹＥＳ）、新たにストレージサーバ１よりデータを受信する必要はないので、Ｓ７７に移行する。
【００６４】
ここで、通信部２０がストレージサーバ１との通信を行い、データの取得を開始した場合において、データ取得の最中に、入力部１２より表示中のデータを次ページデータに書き換える入力操作がなされた場合には、継続中のデータ取得処理を中断して、即座に表示中のデータを次ページデータに書き換えなければならない。そこでＣＰＵ１１は、ストレージサーバ１よりデータを取得している最中でも、ユーザにより入力部１２を介して次ページデータに書き換える入力操作がなされたかどうかを継続して監視している（Ｓ７３）。そして、ページを書き換える入力操作がなされと判断した場合には（Ｓ７３：ＹＥＳ）、Ｓ８６に移行し、継続中のストレージサーバ１との通信を中断する（Ｓ８６）。そして、スイッチ２７をＯＦＦ状態として通信部２０への電力供給状態を非供給状態に切り換える（Ｓ８７）。そしてデータ受信処理を終了してメイン処理（図７参照）に戻る。
【００６５】
ＣＰＵ１１による入力操作の監視処理（Ｓ７３）は、最終ページデータを受信するまで継続される（Ｓ７５：ＮＯ）。そして、ユーザにより次ページデータに書き換える入力操作がなされない状態で、最終ページデータまでデータを受信し、通信が終了した場合（Ｓ７３：ＮＯ、Ｓ７５：ＹＥＳ）、Ｓ７７の処理に移行する。
【００６６】
次いでＣＰＵ１１は、メール受信判定フラグに「１」が記憶されているかどうかを判断する（Ｓ７７）。メール受信判定フラグに「１」が記憶されている場合には（Ｓ７７：ＹＥＳ）、ＣＰＵ１１は、以前にメールチェックを行ってから１０分以上経過しているので、メールサーバ３と通信を行い自分宛のメールデータをチェックし、必要に応じてメールデータを送信する必要があると判断する。そこで、メールサーバ３との通信を開始する。具体的には、ＣＰＵ１１は、自分宛のメールデータの確認通信と、メールデータの送信通信とを開始させる指示コマンドを通信部２０に対して送信する。これを受けた通信部２０は、メールサーバ３と通信を行い自分宛のメールデータの確認通信を開始するとともに、メールデータの送信通信を開始する（Ｓ８１）。
【００６７】
一方、メール受信判定フラグに「０」が記憶されている場合には（Ｓ７７：ＮＯ）、以前にメールチェックを行ってから１０分以上経過していないので、新たにメールサーバ３と通信を行う必要はない。そこでＳ８７に移行し、スイッチ２７をＯＦＦ状態として通信部２０への電力供給状態を非供給状態に切り換える（Ｓ８７）。そしてデータ受信処理を終了してメイン処理（図７参照）に戻る。
【００６８】
ここで、通信部２０がメールサーバ３と通信を行い、メールデータに関する通信を開始した場合において、通信の最中に、入力部１２より表示中のデータを次ページデータに書き換える入力操作がなされた場合には、継続中のメールデータ通信処理を中断して、即座に表示中のデータを次ページデータに書き換えなければならない。そこでＣＰＵ１１は、メールサーバ３と通信を行っている最中でも、ユーザにより入力部１２を介して次ページデータに書き換える入力操作がなされたかどうかを継続して監視している（Ｓ８３）。ＣＰＵ１１は、ＲＡＭ１５の入力データ記憶領域３６を参照し、入力部１２を介してページを書き換える入力操作がなされたと判断した場合には（Ｓ８３：ＹＥＳ）、Ｓ８６に移行し、継続中の通信処理を中断する（Ｓ８６）。そして、スイッチ２７をＯＦＦ状態として通信部２０への電力供給状態を非供給状態に切り換える（Ｓ８７）。そしてデータ受信処理を終了してメイン処理（図７参照）に戻る。
【００６９】
ＣＰＵ１１による入力操作の監視処理（Ｓ８３）は、メールデータの通信がすべて終了するまで継続される（Ｓ８５：ＮＯ）。そして、ユーザにより次ページデータに書き換える入力操作がなされない状態で、メールデータの通信が終了し、通信が終了した場合（Ｓ８３：ＮＯ、Ｓ８５：ＹＥＳ）、スイッチ２７をＯＦＦ状態として通信部２０への電力供給状態を非供給状態に切り換える（Ｓ８７）。そしてデータ受信処理を終了してメイン処理（図７参照）に戻る。
【００７０】
次いで、図７に示すように、メイン処理のＳ３５では、データ受信処理（Ｓ３３、図９参照）において入力部１２より次ページデータに書き換える入力操作がなされた状態であるかどうかが判断される（Ｓ３５）。次ページデータに書き換える入力操作がなされた場合には（Ｓ３５：ＹＥＳ）、即座に表示中のデータを次ページデータに書き換えなければならない、そこでＣＰＵ１１は、ユーザにより表示書き換えからデータ受信処理までの短時間の間に入力部１２より再び次ページデータに書き換える入力操作がなされたという履歴を記憶するために履歴情報変数「Ｍ」に「１」を記憶し（Ｓ３７）、Ｓ１５に戻る。そして、スイッチ２５及びスイッチ２６を制御してＯＮ状態として表示制御部１８、及び不揮発性表示部１９に対する電力供給状態を供給状態とし（Ｓ１５）、表示制御部１８を制御して不揮発性表示部１９に表示されているデータを次のページのデータに切り換える（Ｓ１７）。
【００７１】
一方、通信が中断されることなく、すべてのデータを受信した場合には（Ｓ３５：ＮＯ）、次いでＣＰＵ１１は、電源スイッチ１３を監視する（Ｓ３９）。ユーザにより電源スイッチ１３が操作され、ＣＰＵ１１が電源スイッチ１３のＯＦＦを検出した場合には（Ｓ３９：ＹＥＳ）、メイン処理を終了し、ＣＰＵ１１は通常モードからシャットダウンモードに移行する。また、電源スイッチ１３のＯＦＦ状態を検出しなかった場合（Ｓ３９：ＮＯ）、Ｓ４０に戻ってＣＰＵ１１は通常モードから省電力モードに移行し、上記の処理を繰り返す。
【００７２】
以上説明したように、閲覧端末２は、不揮発性表示部１９に表示されているデータを書き換える入力操作がなされた場合に、省電力モードから通常モードに復帰し、併せてストレージサーバ１及びメールサーバ３と通信を行いデータ及びメールを取得する。このように、通信のためだけにＣＰＵ１１が通常モードとならないので、省電力モードから通常モードへの復帰、及び通常モードから省電力モードへの移行の際の余分な電力消費を削減できる。
【００７３】
また、不揮発性表示部１９の表示を書き換えた直後に、次ページデータをストレージサーバ１より取得してメモリカード２１に記憶しておく。このことによって、書換入力操作に即座に対応して表示内容を切り替えることが可能となる。さらに、ストレージサーバ１と通信中であっても、入力部１２より書換入力操作がなされた場合には、通信を中断して表示内容を書き換える処理を実行しているので、表示書換までに要する時間を短縮することが可能となり、ユーザの利便性を向上させることが可能となる。
【００７４】
さらに、繰り返し頻繁に表示内容を書き換える入力操作がなされるような場合には、ストレージサーバ１より受信するデータ量を少なくする。また、一定周期で実行されるメールチェックのためのメールサーバ３との通信を行わないようにする。このことによって、ストレージサーバ１やメールサーバ３との通信が表示書き換えの遅延発生の要因となってしまうことを防止し、ユーザによる入力操作に即座に対応して表示内容を書き換えることが可能となる。
【００７５】
次に、図１０及び図１１を参照し、閲覧端末２の動作時において電源供給部１７より供給される電力について、図７〜図９に示したフローチャートにおける各処理に対応付けて説明する。図１０及び図１１は、閲覧端末２の動作時において電源供給部１７より供給される電力の経時変化を示すタイミングチャートである。図１０及び図１１のうち、横軸は時間を示しており、縦軸は電源供給部１７より供給される電力、即ち、閲覧端末２の消費電力の総計を示している。また、図中５４は省電力モード駆動時においてＣＰＵ１１にて消費される電力を示しており、５３は通常モード動作時においてＣＰＵ１１にて消費される電力を示している。また、５０は表示制御部１８において消費される電力を示しており、５１は不揮発性表示部１９において消費される電力を示しており、５２は通信部２０において消費される電力を示している。
【００７６】
はじめに、図１０を参照し、閲覧端末２の動作時において電源供給部１７より供給される電力について説明する。図１０に示すように、閲覧端末２では、電源スイッチ１３がＯＮであっても表示書き換え指示が入力されない場合、ＣＰＵ１１は消費電力の小さい省電力モードにて動作しているので、電源供給部１７より供給される電力は少ない。また、この状態では表示制御部１８、不揮発性表示部１９、及び通信部２０への電力供給状態は非供給状態となっており、これらにて電力は消費されていない。
【００７７】
次いで、ｔ１においてユーザにより、入力部１２より表示データを切り換える入力操作がなされると（Ｓ１１：ＹＥＳ）、ＣＰＵ１１は通常モードに移行する（Ｓ１３）。そして、電源供給部１７より供給される電力は、過渡状態を経て、通常モード動作時におけるＣＰＵ１１の消費電力の値となる（ｔ１〜ｔ２）。次いで、ＣＰＵ１１によりスイッチ２５、２６がＯＮされ（Ｓ１５）、表示制御部１８及び不揮発性表示部１９への電力供給状態が供給状態となる。この状態において電源供給部１７より供給される電力は、ＣＰＵ１１の通常動作モード時の消費電力と、表示制御部１８及び不揮発性表示部１９にて消費される電力との総和となる（ｔ２〜ｔ３）。
【００７８】
そしてこの状態で不揮発性表示部１９の表示データが書き換えられる（Ｓ１７）。そして書き換えが終了すると、スイッチ２５、２６がＯＦＦされ（Ｓ１９）、表示制御部１８及び不揮発性表示部１９への電力供給状態が非供給状態となる。
【００７９】
次いで、通信要否判定処理（Ｓ２１）が実行される。この処理の中で、ストレージサーバ１より次ページデータを取得する必要があると判断された場合（Ｓ２５：ＹＥＳ）、ｔ３よりデータ受信処理（Ｓ３３）が開始される。なお、通信要否判定処理（Ｓ２１）は通信部の電力供給状態に関わらず実行可能であるので、表示書き換え中（Ｓ１７）に通信要否判定処理（Ｓ２１）を行う構成としてもよい。
【００８０】
データ受信処理では、はじめにスイッチ２７の電源がＯＮとされ（Ｓ６１）、通信部２０への電力供給状態が供給状態となる。そしてこの状態で、ストレージサーバ１と通信が行われ、閲覧端末２は次ページデータを受信する（Ｓ６５）。この状態において電源供給部１７より供給される電力は、ＣＰＵ１１の通常動作モード時の消費電力と、通信部２０にて消費される電力との総和となる（ｔ３〜ｔ４）。
【００８１】
データ受信処理においてストレージサーバ１と通信を行っている最中に、入力部１２より表示中のデータを書き換える入力操作がなされない場合、次ページデータを受信後、閲覧端末２は、受信した次ページデータに続くページのデータを、最終ページデータを受信するまで順に連続して受信する（Ｓ７１）。また、最終ページデータ受信後、メールデータの通信の必要性がある場合には、メールサーバ３と通信を行いメールデータの通信が継続して行われる（Ｓ８１）。そして通信終了後、ｔ４においてスイッチ２７がＯＦＦされ（Ｓ８７）、通信部２０への電力供給状態が非供給状態となる。
【００８２】
そして、ｔ５までの間に入力部１２より表示データを切り換える入力操作がなされないと、ＣＰＵ１１は省電力モードに移行する（Ｓ４０）。その結果、電源供給部１７より供給される電力は、過渡状態を経て、省電力モード時におけるＣＰＵ１１の省電力モードの値となる。また、電源スイッチ１３がＯＦＦされると、ＣＰＵ１１はシャットダウンモードに移行する。シャットダウンモードにおいては、ＣＰＵ１１は電源スイッチ１３の入力操作のみを監査している状態であるので、わずかな電力（数μＷ）しか消費しない。
【００８３】
以上説明したように、閲覧端末２では、不揮発性表示部１９に表示中のデータを書き換える処理が行われた後、次ページデータを取得するための通信がストレージサーバ１との間で行われるので、表示制御部１８、不揮発性表示部１９、及び通信部２０に対して同時に電力が供給されない。このことによって、電源供給部１７からの最大供給電力を抑制でき、電源供給開始時の突入電力を小さく抑えることができたり、電源供給部１７自体の駆動に必要となる消費電流（スタンバイ時の漏れ電流など）を減らしたりできる。また、次ページデータを取得するためにストレージサーバ１との間で実行される通信は、必ず不揮発性表示部１９の表示データが切り替えられた後に実行され、通信実行のためだけにＣＰＵ１１が省電力モードから通常モードに切り替わることはない。従って、電源供給部の駆動のために必要となる消費電力(スタンバイ時の漏れ電流など)を小さくすることができ、省電力モードから通常モードへの復帰、及び通常モードから省電力モードへの移行の際の余分な電力消費を削減できる。
【００８４】
次に、図１１を参照して閲覧端末２の動作時において電源供給部１７より供給される電力について説明する。図１０の場合と同様、ｔ６においてユーザにより入力部１２より表示データを切り換える入力操作がなされると（Ｓ１１：ＹＥＳ）、ＣＰＵ１１は通常モードに移行する（Ｓ１３）。そして、電源供給部１７より供給される電力は、過渡状態を経て、通常モード動作時におけるＣＰＵ１１の消費電力の値となる（ｔ６〜ｔ７）。次いで、ＣＰＵ１１によりスイッチ２５、２６がＯＮされ（Ｓ１５）、表示制御部１８及び不揮発性表示部１９への電力供給状態が供給状態となる。この状態において電源供給部１７より供給される電力は、ＣＰＵ１１の通常動作モード時の消費電力と、表示制御部１８及び不揮発性表示部１９にて消費される電力との総和となる（ｔ７〜ｔ８）。
【００８５】
そしてこの状態で不揮発性表示部１９の表示データが書き換えられる（Ｓ１７）。そして書き換えが終了すると、スイッチ２５、２６がＯＦＦされ（Ｓ１９）、表示制御部１８及び不揮発性表示部１９への電力供給状態が非供給状態となる。
【００８６】
次いで、通信要否判定処理（Ｓ２１）が実行される。この処理の中で、ストレージサーバ１より次ページデータを取得する必要があると判断された場合（Ｓ２５：ＹＥＳ）、データ受信処理（Ｓ３３）が開始される。なお、通信要否判定処理（Ｓ２１）は通信部の電力供給状態に関わらず実行可能であるので、表示書き換え中（Ｓ１７）に通信要否判定処理（Ｓ２１）を行う構成としてもよい。
【００８７】
データ受信処理では、はじめにスイッチ２７の電源がＯＮとされ（Ｓ６１）、通信部２０への電力供給状態が供給状態となる。そしてこの状態で、ストレージサーバ１と通信が行われ、閲覧端末２は次ページデータを受信する（Ｓ６５）。この状態において電源供給部１７より供給される電力は、ＣＰＵ１１の通常動作モード時の消費電力と、通信部２０にて消費される電力との総和となる（ｔ８〜ｔ９）。
【００８８】
次ページデータを受信後、閲覧端末２は、受信した次ページデータに続くページのデータを、最終ページデータを受信するまで順に連続して受信する通信を開始する（Ｓ７１）。ここで、ｔ９において入力部１２より表示中のデータを書き換える入力操作がなされた場合（Ｓ７３：ＹＥＳ）、通信が中断され（Ｓ８６）、履歴情報変数「Ｍ」に「１」が記憶された状態で（Ｓ３７）、スイッチ２５、２６がＯＮとされて表示制御部１８及び不揮発性表示部１９への電力供給が供給状態となり（Ｓ１５）、表示中のデータが書き換えられる（Ｓ１７）。この状態において電源供給部１７より供給される電力は、ＣＰＵ１１の通常動作モード時の消費電力と、表示制御部１８及び不揮発性表示部１９にて消費される電力との総和となる（ｔ９〜ｔ１０）。
【００８９】
次いで、通信要否判定処理（Ｓ２１）が実行される。この処理の中で、次ページデータは既に取得済みであるので（Ｓ４５：ＹＥＳ）通信要否判定フラグは「０」であるが、ストレージサーバ１との通信は中断された状態であり、最終ページデータを未だ受信していないので（Ｓ５１：ＮＯ）、続きページ判定フラグは「１」となる（Ｓ５３）。そして、メールチェックのタイミングであっても（Ｓ５５：ＹＥＳ）、「Ｍ」は「１」であるので（Ｓ５７：ＹＥＳ）、メール受信判定フラグは「０」となる。なお、通信要否判定処理（Ｓ２１）は通信部の電力供給状態に関わらず実行可能であるので、表示書き換え中（Ｓ１７）に通信要否判定処理（Ｓ２１）を行う構成としてもよい。
【００９０】
そしてこの状態でデータ受信処理が実行されると、はじめにスイッチ２７の電源がＯＮとされ（Ｓ６１）、通信部２０への電力供給状態が供給状態となる。そしてこの状態で、ストレージサーバ１と通信が行われ、閲覧端末２は次ページデータ以降のページデータを受信する（Ｓ７１）。この状態において電源供給部１７より供給される電力は、ＣＰＵ１１の通常動作モード時の消費電力と、通信部２０にて消費される電力との総和となる（ｔ１０〜ｔ１１）。そして最終ページデータまで受信した場合（Ｓ７５）、メール受信判定フラグは「０」となっているので（Ｓ７７：ＮＯ）、メールサーバ３と通信を行うことなくスイッチ２７がＯＦＦされ（Ｓ８６）、通信部２０への電力供給状態が非供給状態となる。
【００９１】
そして、ｔ１２までの間に入力部１２より表示データを切り換える入力操作がなされないと、ＣＰＵ１１は省電力モードに移行する（Ｓ４０）。その結果、電源供給部１７より供給される電力は、過渡状態を経て、省電力モード時におけるＣＰＵ１１の省電力の値となる。また、電源スイッチ１３がＯＦＦされるとＣＰＵ１１はシャットダウンモードに移行する。シャットダウンモードでは、ＣＰＵ１１は電源スイッチ１３の入力操作のみを監査している状態であるので、わずかな電力（数μＷ）しか消費しない。
【００９２】
以上説明したように、閲覧端末２は表示データを切り換える入力操作が行なわれない限り、通信を行なわないので、通信のためだけにＣＰＵ１１が通常モードに復帰して無駄な電力の消費を抑制することができる。
【００９３】
また、閲覧端末２は、ストレージサーバ１及びメールサーバ３との通信中も入力部１２からの入力操作を監視する。そして、入力操作がなされた場合に、通信を停止して不揮発性表示部１９に表示中のデータを書き換える。このことによって、表示書換までに要する時間を短縮することが可能となり、ユーザの利便性を向上させることが可能となる。さらに、履歴情報変数「Ｍ」「Ｎ」を管理することによって、表示中のデータを切り換える入力操作が頻繁になされる場合には、通信により取得するデータの量を小さくして通信時間を短くすることが可能となる。このことによって、表示書換入力操作に即座に対応して表示を表示内容を切り換えることが可能となる。
【００９４】
尚、図２のＣＰＵ１１が、本発明の「メイン制御部」に相当し、入力部１２が、本発明の「書換指示入力部」に相当する。また、図７のＳ１３にて動作モードを省電力モードから通常モードに切り替える処理を行うＣＰＵ１１が、本発明の「復帰手段」に相当し、Ｓ１７にて不揮発性表示部１９の表示を書き換えるために表示制御部１８に対して指示を行うＣＰＵ１１が、本発明の「第１書換手段」「第２書換手段」に相当し、Ｓ２１において通信の要否を判断するＣＰＵ１１が、本発明の「通信要否判断手段」に相当し、図９のＳ６５、Ｓ７１、及びＳ８１において通信を行うために通信部に対して指示を行うＣＰＵ１１が、本発明の「通信手段」に相当し、図７のＳ２７及びＳ３５において入力部１２より入力操作がなされたかどうかを判断する処理を行うＣＰＵ１１が、本発明の「書換要否判断手段」に相当し、Ｓ４０において通常モードから省電力モードに移行する処理を行うＣＰＵ１１が、本発明の「移行手段」に相当し、図８のＳ４９、及びＳ５７において履歴情報変数「Ｍ」「Ｎ」の値を判定する処理を行うＣＰＵ１１が、本発明の「入力判定手段」に相当する。
【００９５】
また、図９のＳ８６において通信を中断させる処理を行うＣＰＵ１１が、本発明の「通信中断制御手段」に相当し、図２のメモリカード２１のデータ記憶領域３８が、本発明の「データ記憶部」に相当し、データ関連情報記憶領域３９が、本発明の「データ取得許否記憶部」に相当し、図８のＳ５５においてメールチェックの処理を行うＣＰＵ１１が、本発明の「周期データ判断手段」に相当し、図２のＲＡＭ１５の変数・カウンタ・フラグ記憶領域３７が、本発明の「履歴記憶部」に相当し、ＲＯＭ１６の制御プログラム記憶領域に記憶されている制御プログラムが、本発明の「閲覧端末制御プログラム」に相当する。
【００９６】
なお、本実施の形態では、前述した実施形態に限定されるものではなく、本発明の要旨を逸脱しない範囲において各種の変形が可能なことはいうまでもない。
【００９７】
また、本実施の形態では、ストレージサーバ１より受信するデータは１ページ分の情報を有しており、ユーザによる表示内容の書き換え操作を検出した場合に、次ページデータ以降のページのデータをストレージサーバ１より取得する処理を行っていたが、データの構成及びデータの切り替え方法はこれらに限定されるものではない。従って、例えば、データは複数のページ分の情報を有しており、ユーザによる表示内容の書き換え操作を検出した場合に、表示中のデータに関連性の強いデータをストレージサーバ１より取得する処理を行うこととしても構わない。
【００９８】
また、本実施の形態では、閲覧端末２は、表示制御部１８、不揮発性表示部１９、及び通信部２０への電力供給状態を切り換える手段として、ＣＰＵ１１より制御可能なスイッチ２５〜２７を備えていたが、電力供給状態を切り換える手段はスイッチに限定されない。従って、表示制御部１８、不揮発性表示部１９、及び通信部２０の駆動に十分な電力（電圧及び電流）を供給するための電源供給部が夫々に対して個別に設けられており、これらの電源供給部の駆動状態（電力供給のＯＮ／ＯＦＦ）をＣＰＵ１１が制御することによって、電力供給状態を制御しても構わない。
【００９９】
また、本実施の形態では、所定周期で取得を行う所定のデータとしてメールデータを想定しているが、所定のデータはメールデータに限定されるものではない。従って、一定時間経過した場合に他のデータを外部端末（サーバ）より取得することとしても構わない。
【図面の簡単な説明】
【０１００】
【図１】閲覧端末２を備えた閲覧システムを示す模式図である。
【図２】閲覧端末２の電気的構成を示す模式図である。
【図３】閲覧端末２の各種デバイスと電源供給部１７との接続状態を示す模式図である。
【図４】ＲＯＭ１６の記憶領域を示す模式図である。
【図５】ＲＡＭ１５の記憶領域を示す模式図である。
【図６】メモリカード２１の記憶領域を示す模式図である。
【図７】ＣＰＵ１１が実行するメイン処理のフローチャートである。
【図８】通信要否判定処理のフローチャートである。
【図９】データ受信処理のフローチャートである。
【図１０】電源供給部１７より供給される電力の経時変化を示すタイミングチャートである。
【図１１】電源供給部１７より供給される電力の経時変化を示すタイミングチャートである。
【符号の説明】
【０１０１】
１    ストレージサーバ
２    閲覧端末
３    メールサーバ
１０    ネットワーク
１２    入力部
１３    電源スイッチ
１７    電源供給部
１８    表示制御部
１９    不揮発性表示部
２０    通信部
２１    メモリカード
３０    制御プログラム記憶領域
３７    変数・カウンタ・フラグ記憶領域
３８    データ記憶領域
３９    データ関連情報記憶領域
４０    メールデータ記憶領域
【図１】
2009230697.tif 000003
【図２】
2009230697.tif 000004
【図３】
2009230697.tif 000005
【図４】
2009230697.tif 000006
【図５】
2009230697.tif 000007
【図６】
2009230697.tif 000008
【図７】
2009230697.tif 000009
【図８】
2009230697.tif 000010
【図９】
2009230697.tif 000011
【図１０】
2009230697.tif 000012
【図１１】
2009230697.tif 000013